Podtech/llm-jp-corpus-v4-ja_patent huggingface dataset:
(57)【要約】      （修正有）【課題】磁石の反発力を利用して配膳するものを宙に浮かせて推進する磁石反発力活用配膳推進装置の提供。【解決手段】配膳するものを移動するに当たり、物体を載せる台盤の側面にＳ、Ｎ極の磁石６を交互に設置し、下部にはＳ又はＮの一極磁石４を設置する。台盤の向かいに同極の磁石３を並べレール状に設置しする。また両壁にはＳ、Ｎ極を交互に設置した電磁コイル５をコンピュータで制御する。【選択図】図２
2006230420.tif 000002
【特許請求の範囲】
磁石の反発力を利用して配膳するものを宙に浮かせて推進することを特徴とした磁石反発活用配膳推進装置、
【発明の詳細な説明】
明細書
配膳するものを移動するに当たり、物体を載せる台盤の側面にＳ、Ｎ極の磁石を交互に設置し、下部にはＳ又はＮの１極の磁石を設置する。
その反対の真向かいに同極の磁石を並べてレ−ル状の道を設置擦れば、台盤下部の磁石とレ−ル状上部の磁石は同極であるからお互いに反発するので台盤は確実に中に浮く、次に宙に浮いた台盤を浮いているくらいの感覚をおいた両壁にＳ，Ｎ極を交互に設置した電磁コイル等をレ−ル状に設置する。
台盤の下部側面にもＳ，Ｎ極が交互に組み込まれているので、両壁に設置してある電磁コイル等をコンピ−タ−などで操作すれば台盤下部側面のＳ，Ｎ極と反発するように操作されるので、台盤に乗っている物体は宙に浮き側面のＳ、Ｎ極は、両壁の電磁コイルと反発しながら台盤を載せた物体は推進してその速度は早くも遅くも、調整することは容易である。
次に図面を参照しながら操作方法を説明する。
図１は（２）寿司皿である容器を浮かせて移動していることを示している側面図であり、図２の正面図のように（９）の天板に（１１）の管から（９）のドライアイスを噴出させれば演出効果は抜群である。
（２）の容器を、（４）の台座の下部を１極のみとしてそれと向き合う（６）のレ−ル道も同極とすれば磁石はお互いに反発しあうので、（４）の台座の上に（２）の容器を乗せれば、（２）の容器は（１）の寿司をのせて、図１、図２、のように宙に浮く、（４）の台座の側面には、図２、図３、図４の（６）で示すようにＳ、Ｎ極を交互に配列し、その両壁には（５）のようにＳ、Ｎ極を交互に配列し、図４にしめすようにして（５）の両壁のＳ、Ｎ極を操作することにより（４）の台座乃（６）のＳ、Ｎ極は交互に反発して宙に浮き（１０）の方向に推進する、（３）の磁石は永久磁石でもよいし電流を流した（図示せず）電磁石でもよい、又（４）の台座の磁石は、（２）の容器の底部に同じ構造のした磁石取り付けてもよい。
【図面の簡単な説明】  図１は側面図、図２は正面図、図３は台座に容器を載せた底面図、図４は推進方向を示す平面図、図５は本発明を用いて営業している斜視図、
【符号の説明】
（１）は寿司、（２）は容器、（３）は磁石、（４）は台盤磁石（５）は推進磁石、（６）は台盤推進磁石、（７）は天板、（８）は推進磁石押さえ、（９）はドライアイス、（１０）は推進方向矢印、（１１）はドライアイス噴出管、
図面
要約書
磁石の反発力を利用して配膳するものを宙に浮かせて推進することを特徴とした磁石反発力活用配膳推進装置、
【図１】
2006230420.tif 000003
【図２】
2006230420.tif 000004
【図３】
2006230420.tif 000005
【図４】
2006230420.tif 000006
【図５】
2006230420.tif 000007
【手続補正書】
【提出日】平成18年3月8日(2006.3.8)
【手続補正１】
【補正対象書類名】明細書
【補正対象項目名】全文
【補正方法】変更
【補正の内容】
【発明の詳細な説明】
配膳するものを移動するに当たり、物体を載せる台盤の側面にＳ，Ｎ極の磁石を交互に設置し，下部にはＳ又はＮの一極磁石を設置する。
その反対の真向かいに同極の磁石を並べてレール状の道を設置すれば、台盤下部の磁石とレール状の上部の磁石は同極であるから、お互いに反発するので台盤は確実に宙に浮く
次に宙に浮いた台盤を浮いているくらいの間隔を置いた両壁にＳ、Ｎ極を交互に設置した電磁コイルをコンピューターで操作すれば台盤下部側面のＳ、Ｎ極と反発するように操作されるので、台盤に乗っている物体は宙に浮きＳ，Ｎ極は両極の電磁コイルと反発しながら台盤を載せた物体は推進し、その速度は早くも遅くも調整することは容易である。
次に図面を参照しながら操作方法を説明する。
図１は（２）すし皿である容器を浮かせて移動していることを示している側面図であり、図２の正面図のように（９）の天板に（１１）の管から（９）のドライアイスを演出させれば演出効果は抜群である。
（２）の容器を（４）の台座の下部を一極のみとして、それとむきあう（６）のレールどうも同局とすれば磁石はお互いに反発しあうので（４）の台座の上に（２）の容器を載せれば（２）容器は（１）の寿司を載せて図１、図２のように宙に浮く、（４）の台座の側面には図２、図３、図４の（６）で示すようにＳ、Ｎ極を交互に配列し、その両壁には（５）の両壁のようにＳ、Ｎ極を交互に配列し、図４に示すようにして（５）の両壁のＳ、Ｎ極を操作することにより（４）の台座の（６）のＳ、Ｎ極は交互に反発して宙に浮き（１０）の方向に推進する、（３）の磁石は永久磁石でも良いし、電流を流した（図示せず）電磁石でもよい、又（４）の台座の磁石は（２）の容器の底部に同じ構造のした磁石を取り付けても良い。
【図面の簡単な説明】
【図１】  側面図、
【図２】  正面図、
【図３】  台座に容器を載せた底面図、
【図４】  推進方向を示す平面図、
【図５】  営業をしている斜視図、
【符号の説明】
（１）は寿司  （２）は容器  （３）は磁石  （４）は台盤磁石  （５）は推進磁石  （６）は台盤推進磁石  （７）は天板  （８）は推進磁石押さえ  （９）はドライアイス  （１０）は推進方向矢印  （１１）はドライアイス噴出管
(57)【要約】      （修正有）【課題】設置の際も軽量なので容易であり、撤去後もリサイクル可能なため環境にも優しい農業用や園芸用のビニルハウス骨組みを提供する。【解決手段】  ＰＥＴボトルの材料であるポリエステル（ポリエチレンテレフタレート）ＰＥＴ樹脂を用いて形成しビニールハウスの骨組みに使用する。【選択図】図１
2006230231.tif 000002
【特許請求の範囲】
【請求項１】
農業用や園芸用のビニールハウスの骨組み素材をＰＥＴボトルの材料であるポリエステル（ポリエチレンテレフタレート）ＰＥＴ樹脂を用いて整形した事を特徴とするビニールハウスの骨組み。
【発明の詳細な説明】
【技術分野】
【０００１】
本発明は、ビニールハウスの骨組みに関する。
【背景技術】
【０００２】
従来のビニールハウスの骨組みは鉄骨、鉄管、スチール、プラスチックなどがある。（例えば、特許文献１〜３参照）
【特許文献１】特許公開２００２−１１９１４５号広報
【特許文献２】特許公開６−１２５６６２号広報
【特許文献３】特許公開２００４−８１１８４号広報
【発明の開示】
【発明が解決しようとする課題】
【０００３】
上記の特許文献１〜３で記載したような従来のビニールハウス骨組み素材は自然災害などによる変形や倒壊に非常に弱く災害後の復旧は交換しか方法が無かった。交換するにしても経費がかかりリスクが大きい。また重量もあるため交換や施工なども重労働で安易ではない。従来品は老朽化又は自然災害により腐ったり曲がったりして使用不可能になれば回収されず放置されたままで環境にも悪い。強度を高める方法として柱を強化したり骨組みを太くするなどがあるが経費が掛かるため一般農家には普及しがたい。農業経営者の高齢化に伴い、重労働である作業を軽減させ設置も容易にする。本発明は設置の際も軽量なので容易であり撤去後もリサイクル可能なため環境にも優しい。本当の意味で自然災害に強く、環境に優しく、経費も安く、重労働ではない事を課題とする。
【０００４】
本発明は製品素材がもつ特徴を生かし自然災害に強く、コスト削減、軽量、リサイクルを実現することを目的とするものである。
【課題を解決するための手段】
【０００５】
本発明は上記目的を達成するため、ＰＥＴボトルの材料であるポリエステル（ポリエチレンテレフタレート）ＰＥＴ樹脂を用いて形成したビニールハウスの骨組みを作る。
【０００６】
上記手段による作用は次の通りである。ＰＥＴボトルの材料であるポリエステル（ポリエチレンテレフタレート）ＰＥＴ樹脂は元に戻ろうとする力が強く自然災害による積雪や台風で変形しても元の形に戻る。従来品とは違い透明なので光合成を妨げない。腐ることがないので使用可能期間が長い。また重労働な作業も軽量なため安易である。何度もリサイクル可能なので自然にも優しく購入経費も安く済む。
【発明の効果】
【０００７】
上述したよう本発明のＰＥＴボトルの材料であるポリエステル（ポリエチレンテレフタレート）ＰＥＴ樹脂を用いたビニールハウス骨組みは、自然災害に強い、コスト削減、軽量、リサイクルなど目的を果たすため効果的で経済的である。
【発明を実施するための最良の形態】
【０００８】
以下、本発明の実施の形状を図１の１〜４、図２の１〜７二重ビニールハウスに基づいて説明する。
【０００９】
図１において、１は外部ビニールを張るための骨組み、２は内部ビニールを張るための骨組み、３は前後をつなげ補強するための部材穴、４は土壌。
図２において、１は外部ビニールを張るための骨組み、２は内部ビニールを張るための骨組み、３は前後をつなげ補強するための部材穴、４は１の下面から見た図、５は3の補強穴に入れ凹凸を合わせつなぎ合わせていく、６は５の凹凸補助部、７も５の凹凸補助部。
【００１０】
以下、上記を説明する。骨組みパーツはポリエステル（ポリエチレンテレフタレート）ＰＥＴ樹脂で出来ており断面は基本的に円形である。設置前は直線の棒状で素材の特長により折れにくく容易にアーチ型に曲げることが出来る。５の前後をつなぐジョイント部は凹凸になっており３をステンレス製の目ねじにより固定できるため強度も増す。また6と7を凹凸部に差しこむことによりジョイント部の始めと終わりのビニールの敗れも防ぐ。積雪や台風などで骨組みが変形しても軽量な上に素材自体の性質が元に戻ろうとする力が強いため災害後の復旧が容易である。設置の際も軽量なので容易であり撤去後もリサイクル可能なため環境にも優しい。
【図面の簡単な説明】
【００１１】
【図１】本発明の正面から見た断面図。
【図２】本発明の設置前のパーツ図。
【符号の説明】
【００１２】
1.外側骨組み
2.内部骨組み
3.前後をつなぐ骨組みを通す穴
4.1の骨組みをを下から見た図
5.前後をつなぐ骨組み
6.5のつなぎ始めの補助具
7.5のつなぎ終わりの補助具
【図１】
2006230231.tif 000003
【図２】
2006230231.tif 000004
(57)【要約】【課題】  本発明は、厚板状の厚焼玉子を小塊に破砕し、小塊となった厚焼玉子から水分を蒸発させて焙燥し、さらに小塊を粉砕して粒子化し、乾燥粉末沙金状の厚焼風味玉子を製造する厚焼玉子の粉末沙金の製造方法を得ることを目的とする。【解決手段】  本発明の厚焼玉子の粉末沙金の製造方法は、厚板状の厚焼玉子を小塊に砕く破砕工程と、小塊に破砕された厚焼玉子の水分を飛ばし焙燥を進めていく焙燥工程と、小塊を更に細かくし一定の粒子にして、ふんわりと出来上げる整粒工程からなるものである。【選択図】  なし【特許請求の範囲】
【請求項１】
厚板状の厚焼玉子を小塊に砕く破砕工程と、小塊に破砕された厚焼玉子の水分を飛ばし焙燥を進めていく焙燥工程と、小塊を更に細かくし一定の粒子にして、ふんわりと出来上げる整粒工程からなることを特徴とする厚焼玉子の粉末沙金の製造方法。
【発明の詳細な説明】
【技術分野】
【０００１】
本発明は、厚板状の厚焼玉子を破砕し、水分を蒸発させて、乾燥粉末沙金状の厚焼風味玉子を製造する厚焼玉子の粉末沙金の製造方法に関する。
【背景技術】
【０００２】
玉子焼業界にあっては、特に厚焼玉子の分野ではチルド製品、即ち日持ちのしない製品ということで受注生産がほとんどであり、安定した計画生産が難しい現状にある。
厚焼玉子の計画生産を実行でき、新しくさまざまな分野で利用するためには、保存性、流通性が大切な要素となる（特許文献１を参照）。
【特許文献１】特開平７‐７９６９４号公報
【発明の開示】
【発明が解決しようとする課題】
【０００３】
本発明は、厚板状の厚焼玉子を小塊に破砕し、小塊となった厚焼玉子から水分を蒸発させて焙燥し、さらに小塊を粉砕して粒子化し、乾燥粉末沙金状の厚焼風味玉子を製造する厚焼玉子の粉末沙金の製造方法を得ることを目的とする。
【課題を解決するための手段】
【０００４】
本発明の厚焼玉子の粉末沙金の製造方法は、厚板状の厚焼玉子を小塊に砕く破砕工程と、小塊に破砕された厚焼玉子の水分を飛ばし焙燥を進めていく焙燥工程と、小塊を更に細かくし一定の粒子にして、ふんわりと出来上げる整粒工程からなるものである。
【発明の効果】
【０００５】
本発明の厚焼玉子の粉末沙金の製造方法は、従来の焼成によって製造された厚焼玉子に通常の工揚にある機械を使用し３工程を加えることによって、従来の厚焼玉子の形状が乾燥粉末沙金状と新しくなり、さまざまな分野へと利用域が広まった。
また、長期の保存が可能で色、風味、食感が変わらず、今まで受注生産、小地域販売に頼ってきた厚焼玉子生産の安定化にも寄与でき、保存性が高まり計画的生産が可能になって、極めて実効の高いものである。
【発明を実施するための最良の形態】
【０００６】
本発明の厚焼玉子の粉末沙金の製造方法について、以下に詳細に説明する。
主原料となる厚焼玉子は、通常の卵液を厚板状に焼成したものを使用し、調味料等により味付けされているものでも構わない。
前記厚板状の厚焼玉子の破砕・粉砕には通常の工揚にある粉砕機を使用し、焙燥には煮煉機を使用する。
【０００７】
次に、通常の焼成工程で作られた厚焼玉子を沙金状（黄金色の粒子状）に仕上げる工程について順を追って説明する。
（１）主原料である厚焼玉子は所望に応じて卵液を味付け後通常生産され冷却されている厚焼玉子と同じものを準備する。
（２）破砕工程：主原料となる厚焼玉子は、目立つ焦げ部分を取り除き、粉砕機により小塊に破砕する。
（３）焙燥工程：鍋温が７０℃に達したところで煮煉機に前記小塊の厚焼玉子を投入する。
７０〜８０℃を保つように温度の調節を行い、煮煉機で撹拌させながら水分を飛ばして段々と小塊がパラパラと粒子に解けるまでに焙燥する。
（４）整粒工程：前記粒子を容器にあけて一気に冷却し、その後、粉砕機に掛け粒子を一定の大きさに整え、沙金状に仕上げる。
【０００８】
本発明は、機械を用いて厚焼玉子を小塊に細かくし、煮煉機を回動させ水分を飛ばしながら焙燥して行き、機械を用いて粒子を一定の大きさに整え、ふんわりと仕上げたことにある。
本発明は、厚焼玉子を沙金化したことで、従来の玉子焼のイメージから脱却し、単に玉子焼として使用されるだけでなく、新しくさまざまな分野に利用可能となった。
(57)【要約】    【課題】  良好な食感を保持しつつ、低温煙を用いてゆで卵を燻煙処理する工程を含む、ゆで卵の着色方法を提供することである。    【解決手段】  本発明の方法は、０°Ｃ〜１８°Ｃの温度の煙を用いてゆで卵を燻煙処理する工程を含むことを特徴とするものである。本発明の方法に用いられる燻煙処理装置（１０）は、ゆで卵が置かれるスモーク庫（１２）と、燻煙を発生させる燻煙発生部（２２）とを備えており、スモーク庫の底部と燻煙発生部とが、途中に冷却手段（２６）が介在された管（２４）を介して連通している。【選択図】  図１
2006230292.tif 000002
【特許請求の範囲】
【請求項１】
０°Ｃ〜１８°Ｃの温度の煙を用いてゆで卵を燻煙処理する工程を含むことを特徴とする卵の着色方法。
【発明の詳細な説明】
【技術分野】
【０００１】
本発明は、卵の着色方法に関する。より詳細には、本発明は、低温煙を用いてゆで卵を燻煙処理する工程を含む卵の着色方法に関する。
【背景技術】
【０００２】
食品を煙で燻すことによって、細菌の繁殖を抑え、食品に香りや風味をつける燻煙処理が知られているが、このような燻煙処理を卵に施した“燻煙卵”が人気を博している。このような燻煙卵は、ゆで卵特有の臭みが取り除かれる、卵の殻が着色されているため見栄えが良い等の種々の特徴を有している。
【発明の開示】
【発明が解決しようとする課題】
【０００３】
しかしながら、従来の燻煙卵では、卵の殻に着色されるものの、高温で燻煙処理を行うため、卵が“硬ゆで”になって食感が悪くなるという課題がある。また、従来の燻煙処理では、卵の殻にタールが付着して煙臭さがとれず、卵の殻の表面もベタついて取り扱いにくいという課題もある。
【０００４】
本発明は、このような状況に鑑みて案出されたものであって、良好な食感を保持しつつ、低温煙を用いてゆで卵を燻煙処理する工程を含む、ゆで卵の着色方法を提供することを目的としている。
【課題を解決するための手段】
【０００５】
本願請求項１に記載の卵の着色方法は、０°Ｃ〜１８°Ｃの温度の煙を用いて卵を燻煙処理する工程を含むことを特徴とするものである。
【発明の効果】
【０００６】
本発明の方法によれば、良好な食感を保持しつつ、ゆて卵の殻に着色することができる。従って、例えば、着色した半熟卵を製造することができる。本発明の方法により着色することにより、視覚的に見栄えが良い、ゆで卵特有の臭みが除去される、鮮度保持期間を延ばすことができるという効果が得られる。
【発明を実施するための最良の形態】
【０００７】
次に図面を参照して、本発明の好ましい実施の形態に係る卵の着色方法について詳細に説明する。まず、着色しようとする卵を準備する。卵は、予めゆでておく。
【０００８】
次いで、ゆでた卵を燻煙処理装置内に入れる。図１は、本発明の好ましい実施形態に係る方法において使用される燻煙処理装置の一例を示した模式図である。
【０００９】
図１に示される燻煙処理装置１０は、スモーク庫１２を備えており、スモーク庫１２内には、卵を載せる金属トレイ１４が配置されている（図１では、３段の金属トレイ１４が示されているが、金属トレイ１４の段数を３段以上にしてもよいし、３段以下にしてもよい）。金属トレイ１４の両端には、一対の電極板１６が配置されており、金属トレイ１４の端部と電極板１６との間には、絶縁体１８が介在されている。
【００１０】
各金属トレイ１４と電極板１６には、電源手段２０を介して、異なる極性の直流電圧が印加されている（従って、例えば、金属トレイ１４にプラスの直流電圧が印加される場合には、電極板１６にはマイナスの直流電圧が印加され、金属トレイ１４にマイナスの直流電圧が印加される場合には、電極板１６にはプラスの直流電圧が印加される）。
【００１１】
燻煙処理装置１０は又、燻煙を発生させる燻煙発生部２２を備えており、スモーク庫１２の底部と燻煙発生部２２とは、管２４を介して連通している。燻煙発生部２２内には、燃焼させる香木材２２ａが置かれている。管２４の途中には、燻煙発生部２２で発生した燻煙を冷却する冷却手段２６が配置されている。冷却手段２６は、公知の型式のものを用いてよい。
【００１２】
なお、図１において、参照符号２８、３０、３２は、燻煙排出管、燻煙排出管の先端開口部を負圧にするための被覆管、ブロワファンをそれぞれ示している。
【００１３】
燻煙処理装置１０を作動させると、燻煙発生部２２で発生した燻煙が、冷却手段２６によって所定の温度に冷却された後、スモーク庫１２内に流入する。一方、金属トレイ１４と電極板１６に異なる極性の直流電圧を印加すると電界が形成され、スモーク庫１２内に流入した燻煙が帯電して、ゆで卵の殻に付着し、これにより、ゆで卵の殻が着色される。
【００１４】
本発明者が種々の実験を行った結果、スモーク庫１２内に流入する燻煙の温度が０°Ｃ〜１８°Ｃである場合に、着色が良好に行われることを見い出した。
【００１５】
図２は、本発明の方法を実施して卵を着色した結果の一例を示した図である。図２において、横軸は燻煙処理を行った時間（分）、縦軸は卵への着色度（所望の着色度を１００％とする）を示している。図２に示されるように、９０分程度で所望の着色度が得られることが分かった。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態では、図１に示す燻煙処理装置１０を用いて燻煙処理を行ったが、他の型式の燻煙処理装置を用いて本発明の方法を実施してもよい。
【図面の簡単な説明】
【００１８】
【図１】本発明の好ましい実施形態に係る方法において使用される燻煙処理装置の一例を示した模式図である。
【図２】本発明の方法を実施して卵を着色した結果の一例を示した図である。
【符号の説明】
【００１９】
１０  燻煙処理装置
１２  スモーク庫
１４  金属トレイ
１６  電極板
１８  絶縁体
２０  電源手段
２２  燻煙発生部
２４  管
２６  冷却手段
２８  燻煙排出管
３２  ブロワファン
【図１】
2006230292.tif 000003
【図２】
2006230292.tif 000004
(57)【要約】      （修正有）【課題】理容美容で毛髪をカットしたとき、カットした毛髪が衣服や床に落ちることを防ぎ、カット後、毛髪の捕集が容易でカット作業場所を選ばない理容美容用カバーの提供。【解決手段】理容美容用カバーとして、首部に肩幅大以上のラッパ型形状カバーを装着し、装着時、装着容易ならしめる手段として、ラッパ型形状の一部に接合部を有する開襟部を設け、首部襟元には、カットした毛髪が襟元からの侵入防止として、布や伸縮性素材で作られた幅広帯状ベルトをカバー内円形空部の縁に襟状逢着し、その両端に布状接合テープなどの係止手段を施し、カットした毛髪を捕集する穴と穴下に捕集袋をカバーの襟元に装備せしめたところの理容美容用カバー。【選択図】図１
2006230638.tif 000002
【特許請求の範囲】
【請求項１】
理容美容用カバーとして、素材は軽い半硬質性の合成樹脂素材などで作られ、装着時、ラッパ型形状にならしむことができる円形面と首部の大きさに係合する内円形空部を有するカバーで、形成されるラッパ型形状カバー外円形の大きさは肩幅大以上の直径を有し、カバー外円形部先端から内円形空部に至る欠損切断部を設け、装着時、欠損切断部を広げて装着し、装着後、欠損切断部の両端部に布状接合テープの係止手段を施した接合面部を重ね合わせ密着接合して、ラッパ型形状にならしめ、且つ、首部に係合するカバー内円形空部には、カットした毛髪が襟元から入り込まないよう、布や伸縮性素材で作られた幅広帯状ベルトをカバー内円形空部の縁に襟状逢着し、その両端に布状接合テープなどの係止手段を施したところの理容美容用カバー。
【請求項２】
請求項１のラッパ型カバーにおいて、カットした毛髪を捕集する袋部をラッパ型カバー欠損切断部接合面部と反対位置に配し、カバー内円形空部の接点部寄りに穴部を設け、穴部の下に捕集袋を配し、カットした毛髪を処理し易くしたところの理容美容用カバー。
【請求項３】
請求項１のラッパ型カバーにおいて、本体接合面接着部と襟部幅広帯状ベルトの係止手段閉め具の素材は帯状接合テープやホック、布ファスナーなどで構成されるところの理容美容用カバー。
【発明の詳細な説明】
【技術分野】
【０００１】
本発明は理容美容用カバーの形状形態に関する。
【背景技術】
【０００２】
従来の理容美容用カバーとして、ケープ状形態のものが殆どである。素材は布状のクロス地が用いられていて、カットした毛髪が足元に落下してしまう。家庭用理容美容用カバーなどには円形の中心に穴が設けられ、その穴部に頭部を入れて肩に掛けるドーナツ型カバーなどがある。
【特許文献１】特許公開２００４−３２４００９
【特許文献２】特許公開２００４−４１７３５
【特許文献３】特許公開平１０−１６５２２７
【特許文献４】実用新案公開平６−５５５１３
【発明の開示】
【発明が解決しようとする課題】
【０００３】
理容美容用カバーとして、カットした毛髪が衣服や床に落ちることを防ぎ、カット後、毛髪の捕集
が容易な理容美容用カバー。
【課題を解決するための手段】
【０００４】
本発明の理容美容用カバーは、首部に肩幅大以上のラッパ型形状カバーを装着し、装着時、装着容易ならしめる手段として、ラッパ型形状の一部に接合部を有する開襟部を設け、首部襟元には、カットした毛髪が襟元からの侵入防止として、布や伸縮性素材で作られた幅広帯状ベルトをカバー内円形空部の縁に襟状逢着し、その両端に布状接合テープなどの係止手段を施し、カットした毛髪を捕集する穴と穴下に捕集袋をカバーの襟元に装備せしめたところの理容美容用カバーの提供。
【発明の効果】
【０００５】
本発明の理容美容用カバーはカットした毛髪が衣服や床に落ちずに、容易に捕集できる構造を有し、カバー装着者は手足の解放が得られ、毛髪カット時に場所を選ばず、家庭での散髪、非介護者の散髪などに有用な多くの利便性が得られる。
【発明を実施するための最良の形態】
【０００６】
本発明実施の形態を「図１」、「図２」、「図３」に基づいて説明する。「図１」は本発明の平面図を示し、ラッパ型形状ならしめるために、カバー本体１において本体重ね合わせ接合表面部３と本体重ね合わせ接合裏面部４の間に空位部を有する形状で、本体重ね合わせ接合表面部３と本体重ね合わせ接合裏面部４を接合することにより、平面形態からラッパ型形態に変革せしめる特性の形状形態を示す。図２はラッパ型形状形態の断面部を示す。図３では本発明実施の形態を示し、カバー本体は透明樹脂素材を用いたところの実施形態斜視図である。
【図面の簡単な説明】
【０００７】
【図１】平面図
【図２】断面図
【図３】実施形態斜視図
【符号の説明】
【０００８】
１    カバー本体
２    カバー首部係止ベルト部
３    本体重ね合わせ接合表面部
４    本体重ね合わせ接合裏面部
５    首部係止ベルト重ね合わせ襟接合表面部
６    首部係止ベルト重ね合わせ襟接合裏面部
７    毛髪捕集穴部
８    毛髪捕集袋
【図１】
2006230638.tif 000003
【図２】
2006230638.tif 000004
【図３】
2006230638.tif 000005
(57)【要約】【課題】洋式トイレでの小便使用時に便器から、飛び散る小便の対策である。【解決手段】洋式トイレの便座に左右両脇下側に、小便の飛び跳ね防止板を取り付け、便器から便座を持ち上げ立てると、小便の飛び跳ね防止板が便器の左右に立ち、便器から小便の飛び散りを防ぐ。【選択図】図１
2006230972.tif 000002
【特許請求の範囲】
【請求項１】
水洗用、洋式トイレの便座左右両脇下側に取り付けた、小便の飛び跳ねを、防止する板、小便をするとき便座を持ち上げ立てると、便器の両脇に便座左右両脇下側の、小便飛び跳ね防止板が、便座と同じ様に立ち、小便の飛び散りを防止する板。
【発明の詳細な説明】
【技術分野】
【０００１】本発明は、洋式トイレの便座に関するものである。
【背景技術】
【０００２】洋式トイレで小便の使用時に、便座を持ち上げ立て使用する、トイレ便器の小便と大便の受け部分にある水洗用、水の水位により、小便の飛び散る量が大小ですが飛び散るが、トイレの使用には実用上十分である。【０００３】しかし、洋式トイレでの小便の使用時には、小便が便器から飛び跳ね、出ている、そのため便器の回で臭いが出る。【０００４】この改善策として、洋式トイレ便座に。図２の（１）小便の飛び跳ね防止板を取り付け小便の飛び跳ね防止板で、便器からの小便の飛び散りを防ぎ、臭いの軽減につながる。
【発明の開示】
【発明が解決しようとする課題】
【０００５】解決しようとする問題点は、洋式トイレでの小便の使用時に便器から、飛び散る小便の対策である。
【課題を解決するための手段】
【０００６】本発明は、洋式トイレの便座に左右両脇下側に取り付けた、飛び跳ね防止板便座を持ち上げ、便座が立ち上がると便器の両側に飛び跳ね防止板ができ、小便の飛び散るのを防ぎ、臭いの軽減になる。
【発明の効果】
【０００７】本発明の洋式トイレ便座に左右両脇下側に、小便の飛び跳ね防止板を取り付けることにより、トイレ内の臭い及び拭き掃除が軽減される。
【発明を実施するための最良の形態】
【０００８】洋式トイレでの使用では、大便の時便器に便座が固定され使用が出来る、小便時には便座を持ち上げ便座が立つと、小便の飛び跳ね防止板が便座と同じように立ち、小便の飛び散りを防ぐ。
【実地例１】
【０００９】図１は、洋式トイレで便座には小便の飛び跳ね防止板のない便座、図２は便座に小便の飛び跳ね防止板が付いた便座で、大便の使用時の状態、図３は便座を持ち上げ便座を立て小便を使用時の状態である。
【産業上の利用可能性】
【００１０】人の出入りの多い所の、洋式トイレでは小便の飛び散りが多いため、小便の臭いが強くなり拭き掃除の回数が多くなる。
洋式トイレの便座に飛び跳ね防止板を取り付け、小便の飛び散りを防ぎ悪臭の軽減をし、拭き掃除の回数を減らす事につながる。
【図面の簡単な説明】
【００１１】
【図１】洋式トイレの大便の使用時の説明図である。
【図２】洋式トイレの便座に小便の飛び跳ね防止板を取り付け便座で、大便の使用時の説明図である。
【図３】洋式トイレの便座に、小便の飛び跳ね防止板を取り付けた、便座を持ち上げ立て、小便の使用時の説明図である。
【符号の説明】
【００１２】１  小便の飛び跳ね防止板
２  便座
３  洋式便器
４  ベンキのふた
【図１】
2006230972.tif 000003
【図２】
2006230972.tif 000004
【図３】
2006230972.tif 000005
(57)【要約】      （修正有）【課題】市販カッターの使用は、刃が剥き出しで危険であった。特に、硬い物に使用した時とか、何かに引っかかった後が危険であった。反動で大きくカッターが動き手先等を負傷する。反動力も大きいため、怪我も大きくなる危険性があった。【解決手段】カッター本体の前部にバネ駆動の振り子部品を設置した。不使用時は、振り子部品は、前方にあり、刃の下面を覆っている。使用時には、その先端を引き下げて（振り子部品は基点を中心にして半回転する）使用する。カッターが、被切削物を切っている時、振り子部品はバネの戻り力により被切削物に密着している。カッターが被切削物から離れて、振り子部品カッターの障害物が無くなった瞬間振り子部品は元の位置に戻り、刃面を覆う。その為カッター刃先が、指や手に当たるような動きをしても、怪我を防ぐ事ができる。【選択図】 図６
2006230971.tif 000002
【特許請求の範囲】
【請求項１】
［図３］の振り子部品が、振り子状に動作する事により、事故防止します。振り子部品の振り子構造及び機能を特許請求します。
【請求項２】
［図３］振り子部品は、バネの戻し力により危険な刃先を覆います。振り子部品の、バネ戻し構造を特許請求します。
【請求項３】
［図３］振り子部品は、幅を広く取る事により、横位置への危険防止及び、刃先の進行方向への危険防止性を高めています。振り子部品の幅構造を特許請求します。
【請求項４】
［図６］に図解しますように、このカッター危険防止具は、真ん中にカッターを挿入する構造であることを特許請求します。
【発明の詳細な説明】
【技術分野】
【０００１】市販されている替刃式カッター用補助具です。［背景技術］従来技術はありません。［発明の開示］［発明が解決しようとする課題］【０００２】市販されている替刃式カッターは、鋭い刃を剥き出しにして使用する為、見るからに危険でした。特に、分厚い物を切っている時とか硬い物に引っかかった時等、力余った反動で刃先が勢いよく、思わぬ方向等に動く時が危険でした。刃が鋭いだけに大怪我をする危険性がありました。［課題を解決するための手段］【０００３】カッター本体の先端に、バネで可動する振り子式の部品を設置しました。通常時、振り子はバネ力により、その先端は前方にあります。位置は、刃の下２センチ程です。幅は３から５ｃｍです。（カッターの大小により幅は多少変わります。）カッター使用時、振り子の先端を後方に引いて使用します。（振り子の基点を中心にして）振子は、使用時、バネ力により常に戻ろうとしながら被切削物に密着しています。刃が被切削物から大きく離れて障害物が無くなると、振り子はバネ力により元に戻ります。この時、振り子は、刃の切れる部分を覆います。カッターが、大きく動いて手先等に当たろうか言う時、刃は既に振り子で覆われているので、指には当たりません。［発明を実施する為の最良の形態］【０００４】図１．２の本体１．２は両面テープで接続します。それにより位置は可動で、市販カッターの任意幅に対応できます。又、図４の補助金具で、接続を強化します。【０００５】図１のＡはストッパーです。これで、振り子の前方への角度が決まります。振り子の先端が、刃の切れる面から２．５ｃｍ程の所で止まります。これが、カッターが指等に当たる事故の時の緩衝距離になります。【０００６】図３の振り子部品は、そのＣ１．Ｃ２を図１．２の各Ｄ穴に差込み、そこを基点として、振り子のように可動します。不使用時は、図５のバネの力により、その先端Ｂは、前方に位置します。カッター使用時、図６組み立て図Ｅの方向に移動させます。【０００７】図３のＡは、接着テープ等で膜が張ってあり、指等が通過しないようになっています。また、図５のバネの片側の止め位置にもなっています。必要があれば、更にその上に布やシール等で、強化あるいは装飾が可能です。
【発明の効果】
危険防止効果大カッターの事故は、分厚い物を切っている時とか硬い物に引っかかった時等、力余った反動で刃先が勢いよく動いた時によく起こり、そして重症になる可能性がありますが、これを装着していれば、刃先が被切削物から離れた瞬間には振り子部品が刃の面を覆いますから安全です。仮に、カッター不使用の手が折り返した振り子部品の後方にあった場合、事故が起こりそうになったとしても、刃と手の間には必ず振り子部品があるので、理論上は、刃が当たらない訳です。振り子自体は、刃の下２．５ｃｍ程の所で止まりますので、指に刃が直接当たりにくくなっています。幅も３から５ｃｍありますので、横方向への危険性にも対応できます。縦方向は、振り子の長さ内で使用すれば、縦方向の危険性もありません。コンパクトカッター自身も小さいし、カッター操作の為にも出来るだけ小さい必要がありましたが、単純構造なので邪魔にならない大きさになりました。安価構造が単純なので、安価です。安価なカッターにも十分使用出来ます。
【図面の簡単な説明】
【０００８】
【図１】本体１図１は本体１です。Ａの部分で振り子金具を受けます。これにより振り子部品の前方への角度が決まり、即ち、刃先と振り子部品前方の、緩衝距離が決まります。Ｂ．Ｃにはマジックテープメス面（仮にメスと表現します。）が貼ってあります。図２のＢ．Ｃ（同じくＢ．Ｃにはマジックテープメス面が貼ってある）とそれぞれ、オス面マジックテープでつないでカッターに固定します。市販カッターの幅がメーカーにより異なるので位置が自由になるようになっています。
【図２】本体２Ｅは、カッターが凸局面になっている（真ん中が高く両端が低くなっている）低い部分を補ってカッターを安定させます。
【図３】振り子部品
【図４】接続補強金具
【図５】バネ
【図６】組み立て図
【図７】本体３本体１と本体２の接続版です。幅が固定的ですが、より単純化されています。これで対応出来る場合は、こちらの使用もあります。
【図１】
2006230971.tif 000003
【図２】
2006230971.tif 000004
【図３】
2006230971.tif 000005
【図４】
2006230971.tif 000006
【図５】
2006230971.tif 000007
【図６】
2006230971.tif 000008
【図７】
2006230971.tif 000009
(57)【要約】【課題】      従来の肛門洗浄器は部品が多い分重量が有りかつ接合部が多いため故障が起こりやすく、またノズルが長い直管なため、肛門部へ的確に洗浄液を当てることが難しかった。【解決手段】  圧力を加えると撓み、圧力を加えるのを止めると自然に形状回復する材質の本体タンクと、キャップノズルのみという単純な構造にしたので軽量で故障しにくくなり、またキャップノズルのノズル部を短くしてかつ緩やかに湾曲させたので、的確に肛門部に洗浄液を当てることが出来るようになった。【選択図】    図１
2006230975.tif 000002
【特許請求の範囲】
【請求項１】
圧力を加えると撓み、圧力を加えるのを止めると自然に形状回復する材質の本体タンクと、キャップノズルのみという単純な構造なので軽量で故障しにくく、またキャップノズルのノズル部は短くかつ緩やかに湾曲しているので、的確に肛門部に洗浄液を当てることが出来ることを特徴とする肛門洗浄器。
【発明の詳細な説明】
【技術分野】
【０００１】  本発明は、軽量で故障しにくく、かつ肛門部へ的確に洗浄液を当てることができる肛門洗浄器に関する。
【背景技術】
【０００２】  従来品は、タンク部に長い直管状のノズルを取り付け、そのノズルが伸縮又はタンク内に収納されるという形のものが知られている。
【発明の開示】
【発明が解決しようとする課題】
【０００３】  上記した従来品は、部品が多い分重量が有りかつ接合部が多いため故障が起こりやすく、またノズルが長い直管なため、肛門部へ的確に洗浄液を当てることが難しかった。【０００４】  本発明は、上記した従来品の問題点を解決しようとするものであり、軽量で故障しにくく、かつ肛門部へ的確に洗浄液を当てることができる肛門洗浄器を実現することを目的とするものである。
【課題を解決するための手段】
【０００５】  本発明は、圧力を加えると撓み、圧力を加えるのを止めると自然に形状回復する材質の本体タンクと、キャップノズルのみという単純な構造にし、またキャップノズルのノズル部を短くして、かつ緩やかに湾曲させた。
【発明の効果】
【０００６】  上記したように本発明は、単純な構造が故に軽量で故障しにくくなり、またノズル部が短く、かつ緩やかに湾曲しているので、的確に肛門部に洗浄液を当てることが出来る肛門洗浄器を提供することができる。
【発明を実施するための最良の形態】
【０００７】  以下、本発明の実施の形態を図に基づいて説明する。【０００８】  図１は本発明の側面図であり、図２は図１中のキャップノズル２の断面図である。【０００９】  以下、使用方法について説明する。まず本体タンク１よりキャップノズル２を取り外し、本体タンク１へ洗浄液を注入し、再びキャップノズル２を取り付ける。注入する洗浄液は水でよい。そして排便後、本体タンク１を手で握り噴射口３を肛門部に向ける。本体タンク１を握っている手に力を入れると、本体タンク１は撓み内部の洗浄液に圧力がかかり噴射口３より洗浄液が噴出し、残留汚物を洗い落とす。
【図面の簡単な説明】
【００１０】
【図１】  本発明の側面図
【図２】  図１におけるキャップノズル２の断面図
【符号の説明】
【００１１】    １  本体タンク
２  キャップノズル
３  噴射口
【図１】
2006230975.tif 000003
【図２】
2006230975.tif 000004
(57)【要約】      （修正有）【課題】  暖房省エネ効果の向上により暖房機器から発生する二酸化炭素発生量の低減をはかるカーテンの施工法を提案する。【解決手段】１．カーテンレールを窓枠の直上、天井面にとりつける。２．カーテンの上端が天井面に触れ、下端部は床面に触れるようカーテンの高さ寸法取りする。カーテンは効果をよくするため裏地のあるような二重カーテンを採用する。カーテン幅は窓幅より余裕幅を持たせ、窓枠をカーテンの生地が塞ぐ。このカーテンによって居住空間の空気を、窓付近の空気と遮り二層にし、経済的にも比較的安価に屋外の冷気との断熱性能を改善する。【選択図】図１
2006230977.tif 000002
【特許請求の範囲】
【請求項１】
京都議定書の発効によりさらに省エネ技術の発達が重要視されることになった。従来、カーテンの取り付けは窓枠に対して、目隠し、デザインが重視されたが、この出願はカーテンを室内の断熱部材として重視、暖房省エネ効果をねらったものである。
請求項１．カーテンレールを窓枠の直上、天井面にとりつける。
請求項２．カーテンの上端が天井面に接触、下部は床面まで接触するようカーテンの高さ寸法取りする。
カーテンは効果をよくする裏地のあるような二重カーテンを採用する。
カーテン幅は窓幅より余裕幅を持たせ、窓枠をカーテンの生地がおおい塞ぐ寸法。
請求項３  上記の施工方法により居住室内空気と窓ガラス付近の空気の流れを遮り、空気が二層になり断熱効果がます。
【発明の詳細な説明】
【技術分野】
【０００１】  ここから書き始めます。
【背景技術】
【０００２】
【特許文献１】
【特許文献２】
【非特許文献１】
【非特許文献２】
【発明の開示】
【発明が解決しようとする課題】  京都議定書の発効によりさらに省エネ技術の発達が重要視されることになった。暖房省エネ効果の向上により、暖房器具から発生する二酸化炭素発生量低減をはかる。
従来のカーテンの取り付け施工法は窓枠付近にカーテンレールを取り付けることが多く  そのため、室内の暖かい空気がカーテンを閉めた状態でも、カーテンレールの取り付け間を通して、窓ガラスに触れ、空気の流れによる熱交換が発生する。
【・・・・】
【課題を解決するための手段】
請求項１．カーテンレールを窓枠の直上、天井面にとりつける。
請求項２．カーテンの上端が天井面に接触、下部は床面まで接触するようカーテンの高さ寸法取りする。
カーテンは通気を遮断する効果をよくするため、遮光二重カーテンを採用する。
カーテン幅は窓幅より余裕幅を持たせ、窓枠をカーテンの生地がおおい塞ぐ寸法。
【・・・・】
【発明の効果】
居住室内空気と窓ガラス付近の空気の流れを遮り、空気が二層になり断熱効果がます。経済的にも比較的安価に屋外の冷気との断熱性能を改善できる。また遮光効果にも改善がみられる。
【・・・・】
【発明を実施するための最良の形態】
【・・・・】
【実施例】実際に自分の部屋に取り付けたところ（木造二階建て）、外気が０度近くまで下がっても、室内の温度は１４度を指示し、暖房しないですむ。
【・・・・】
【産業上の利用可能性】京都議定書の発効によりさらに二酸化炭素発生量低減をはかる必要があり、それをクリアするのに期待がもてる。
【・・・・】
【図面の簡単な説明】
【・・・・】
【図１】
請求項１．２におけるカーテンレール、カーテンの取り付け断面
【図２】
上記正面取付け図
【・・・・】
【符号の説明】
【図１】
2006230977.tif 000003
【図２】
2006230977.tif 000004
(57)【要約】【課題】本発明は、洗濯物を乾すための洗濯はさみである。これまでの洗濯はさみは、指でつまみ部を押してはさみ部を開き洗濯物を挟み、取り外すときもまた、指でつまみ部を押し開いて取り外さなければならないため、指先の弱い高齢者や手の不自由な人には扱いにくかったが、高齢者等でも楽に使える洗濯はさみを提供する。【解決手段】ばね鋼（又は樹脂）で出来た洗濯物を挟み込む本体１は、洗濯物差し込み口２と挟みこみ支持する部分３を有する。  本発明は、以上の構成よりなる洗濯はさみである。【選択図】図１
2006230973.tif 000002
【特許請求の範囲】
【請求項１】
洗濯物を挟み込む本体１が、洗濯物を差し込む差込口２と支持する挟みこみ部３を有し、ばね鋼（又は樹脂）で出来たばねの力を利用した洗濯はさみ。
【発明の詳細な説明】
【技術分野】
【０００１】  本発明は、洗濯物を乾す時に使用する洗濯はさみであって、指先の弱い高齢者や手の不自由な人でも楽に使える洗濯はさみに関するものである。
【背景技術】
【０００２】  現在、一般的に使用されている洗濯はさみは、指でつまみ部を押して挟み部を開き洗濯物を挟み、取り外すときもまた、指でつまみ部を押し開いて取り外している。
【発明の開示】
【発明が解決しようとする課題】
【０００３】  洗濯物を挟み込んだり、取り外したりする時健常者は何ら問題なく取り扱っているが、指先の弱い高齢者や手の不自由な人には、次のような問題点があった。
洗濯物を挟み込んだり取り外したりするのに、指先が弱いため大変苦労している。
本発明は、以上の問題点を解決し、指先の弱い高齢者や手の不自由な人でも楽に使える洗濯はさみを提供するものである。
【課題を解決するための手段】
【０００４】  ばねの力を利用したばね鋼（又は樹脂）で出来た本体１は、洗濯物を差し込む差し込み口２と挟みこみ支持する部分３を有する。
本発明は、以上の構成よりなる洗濯はさみである。
【発明の効果】
【０００５】本発明は、洗濯物を指で差し込むだけでよくまた、取り外すときも引っ張るだけで簡単にはずせるので、指先の弱い高齢者や手の不自由な人でも楽に使える。
【発明を実施するための最良の形態】
【０００６】  以下、本発明の実施の形態を説明する。
本体１は、差込口２と挟みこみ支持する部分３が一体のばね鋼（または樹脂）で出来ている。本発明は以上の構成よりなる。
本発明の使用方法は、洗濯物を差し込み口２から差し込むと挟み込み部３が開き、簡単に洗濯物を挟み込むことができ、取りはずすときは下に引っ張るだけで良い。
【図面の簡単な説明】
【０００７】
【図１】本発明の斜視図である。
【図２】本発明の断面図である。
【符号の説明】
【０００８】１洗濯はさみ本体    ２洗濯物差込口    ３洗濯物挟み込み支持部
【図１】
2006230973.tif 000003
【図２】
2006230973.tif 000004
(57)【要約】【課題】便器の縁の裏側や、縁なし便器でも共通である、排水口の奥などの目で確認困難な部分の汚れを確認するために、鏡をぴったりと備えられる箇所に鏡を設けたトイレブラシを提供する。【解決手段】便器の縁の裏側や、縁なし便器でも共通である、排水口の奥などの目で確認困難な部分の汚れを確認するために、鏡をぴったりと備えられる箇所を設け、鏡を取り付けたことを特徴とする鏡付きトイレブラシ。【選択図】図１
2006230980.tif 000002
【特許請求の範囲】
【請求項１】
便器の縁の裏側や、縁なし便器でも共通である、排水口の奥などの目で確認困難な部分の汚れを確認するために、鏡をぴったりと備えられる箇所を設け、鏡を取り付けたことを特徴とする鏡付きトイレブラシ。
【発明の詳細な説明】
【技術分野】
【０００１】  本発明は、便器の縁の裏側や、縁なし便器でも共通である、排水口の奥などの目で確認困難な部分の汚れを確認するために、鏡を設けたトイレブラシに関するものである。
【背景技術】
【０００２】  従来、棒の先にブラシを付けただけの棒状トイレブラシや、ブラシ部をスポンジに付け替え可能にしたトイレブラシ、棒状ブラシに縁の裏側の面に密着する様な角度で上向きに小ブラシを付けた二股トイレブラシがあった。
【発明の開示】
【発明が解決しようとする課題】
【０００３】  そのために、次のような問題点があった。
（イ）便器の縁裏の汚れ具合を確認するとき、便器に顔を近づけてのぞき込むが、汚れ        を確認する事が非常に困難であった。
（ロ）便器の縁裏の汚れ具合を確認するため、鏡を探してトイレまで持ってくるのが面        倒であった。
（ハ）縁のある便器と縁なし便器に共通である排水口の奥の汚れ具合の確認も非常に困        難であった。
本発明は、これらの問題点を解決するためになされたものである。
【課題を解決するための手段】
【０００４】  便器の縁の裏側や、縁なし便器でも共通である、排水口の奥などの目で確認困難な部分の汚れを確認するために、ブラシ部の下部にブラシ毛を植毛し、ブラシ部の上部に鏡をぴったりと備えられる箇所として、凹みを設ける。
そして、その凹みに鏡を挿入し接着する。以上を特徴とする鏡付きトイレブラシである。
【発明の効果】
【０００５】  便器の縁の裏側や、縁なし便器でも共通である、排水口の奥などの目で確認困難な部分の汚れを楽に確認することができ、鏡を取りに行く手間も省け、汚れが落ちたかどうかも確認することが出来る。
【発明を実施するための最良の形態】
【０００６】  以下、本発明の実施の形態について説明する。
便器（Ａ）の縁の裏側（Ｂ）や、縁なし便器でも共通である、排水口の奥（Ｃ）などの目で確認困難な部分の汚れを確認するために、ブラシ部（１）の下部にブラシ毛（２）を植毛し、ブラシ部（１）の上部に薄い長方形状でプラスチック性の鏡（３）をぴったりと備えられる箇所として、凹み（４）を設ける。
そして、その凹み（４）に鏡（３）を挿入し、簡単に剥がれないように接着剤等で鏡（３）と凹み（４）を接着する。
本発明は以上のような構成で、これを使用するときは、図３に示すように、柄（５）を握った後、トイレブラシのブラシ部（１）を便器（Ａ）の内側に持っていく。
そして、ブラシ部（１）の上部に設けた鏡（３）に便器（Ａ）の縁の裏側（Ｂ）や排水口の奥（Ｃ）などの目で確認困難な部分が写るように近づける。そして、縁の裏側（Ｂ）や排水口の奥（Ｃ）などの汚れ具合を確認したら、ブラシ部（１）の下部のブラシ毛（２）で縁の裏側（Ｂ）や排水口の奥（Ｃ）などをこすって掃除をする。
【図面の簡単な説明】
【０００７】
【図１】本発明の斜視図
【図２】本発明の分解斜視図
【図３】本発明の使用状態を示す断面図
【符号の説明】
【０００８】１  ブラシ部
２  ブラシ毛
３  鏡
４  凹み
５  柄
Ａ  便器
Ｂ  縁の裏側
Ｃ  排水口の奥
【図１】
2006230980.tif 000003
【図２】
2006230980.tif 000004
【図３】
2006230980.tif 000005
(57)【要約】      （修正有）【課題】洗浄液入れ容器に、洗浄用キャップを取り替えるだけで、必要な時に、手軽に洗浄が出来る、洗眼、鼻腔洗浄器を提供する。【解決手段】洗浄液入れ容器１は一回分の容量で小型化し、柔らかい材質のポリエチレンなどで作り、キャップ２及び洗浄用キャップ３を硬めの材質のポリプロピレンなどで作る。洗浄用キャップ３は、キャップ２の上部中央から内部が空洞の管を突き出して先端を球型にし、空洞が球の横に抜けて墳水口５にする。この球４は、鼻孔を完全に塞いで鼻に当たるようにする。洗浄用キャップ３の噴水口５を球の横に設けたことにより、洗浄液入れ容器１を上にし、洗浄用キャップ３を下にした状態で、球４の噴水口５を鼻孔に当てることが可能になる。これで、ポンプなどの装置を使わず、柔らかい洗浄液入れ容器１を握るだけで、噴水口５から洗浄液が無駄なく押し出され、鼻腔洗浄ができ、且つ、眼に使用すれば洗眼が出来る構成とする。【選択図】図１
2006230974.tif 000002
【特許請求の範囲】
【請求項１】
洗眼、鼻腔洗浄に関し、洗浄液入れ容器を小型化し、直接、洗浄用キャップを取り替えるだけで、洗浄出来るようにした。
洗浄液入れ容器は一回分の容量で小型化し、柔らかい材質のポリエチレンなどで作り、キャップ及び洗浄用キャップを硬めの材質のポリプロピレンなどで作る。
洗浄用キャップは、キャップの上部中央から内部が空洞の管を突き出して先端を球型にし、空洞が球の横に抜けて墳水口にする。
この球は、鼻孔を完全に塞いで鼻に当たるようにする。
洗浄用キャップの噴水口を球の横に設けたことにより、洗浄液入れ容器を上にし、洗浄用キャップを下にした状態で、球の噴水口を鼻孔に当てることが可能になる。これで、ポンプなどの装置を使わず、柔らかい洗浄液入れ容器を握るだけで、噴水口から洗浄液が無駄なく押し出され、鼻腔洗浄ができ、且つ、眼に使用すれば洗眼が出来るものである。
洗浄が必要な時に、キャップを取り替えるだけで、いつ、どこででも手軽に出来る、安価で携行に便利な洗眼、鼻腔洗浄器である。
【発明の詳細な説明】
【技術分野】
【０００１】  本発明は、眼や鼻腔に付着した花粉などを洗い流すための洗浄に関する。
【背景技術】
【０００２】  ２００５年の杉花粉の飛散状況は、例年の３０倍から９０倍とも言われ、更に、桧が植林から３０年を迎えて花粉の飛散時期に入り、杉花粉の猛威の中、更に、桧花粉の飛散が加わり、花粉飛散期間が長期化すると言われている。
また、花粉の問題は、半世紀に及ぶとも言われ、社会問題となっており、花粉症の人にとっては、辛い厳しい状況があり、花粉症対策が重要である。
【発明の開示】
【発明が解決しようとする課題】
【０００３】  花粉症対策として様々なグッズがあるが、その１つに、鼻腔洗浄がある。この中でも、塩水などの水溶液を鼻腔内に流し込んで花粉などを除去する方法は有効と思われる。
この方法で現在市販されているものは、高値で、使う度に、塩水を作る面倒臭さがある他、器具が大きく携帯に不便で、使用場所が自宅などと限られてしまう状況がある。
よって、必要な時に、手軽に鼻腔洗浄が出来ない。
【課題を解決するための手段】
【０００４】  洗眼、鼻腔洗浄に関し、洗浄液入れ容器を小型化し、直接、洗浄用キャップを取り替えるだけで、洗浄出来るようにする。
洗浄液入れ容器は一回分の容量で小型化し、柔らかい材質のポリエチレンなどで作り、キャップ及び洗浄用キャップを硬めの材質のポリプロピレンなどで作る。
洗浄用キャップは、キャップの上部中央から内部が空洞の管を突き出して先端を球型にし、空洞が球の横に抜けて墳水口にする。
この球は、鼻孔を完全に塞いで鼻に当たるようにする。
洗浄用キャップの噴水口を球の横に設けたことにより、洗浄液入れ容器を上にし、洗浄用キャップを下にした状態で、球の噴水口を鼻孔に当てることが可能になる。これで、ポンプなどの装置を使わず、柔らかい洗浄液入れ容器を握るだけで、噴水口から洗浄液が無駄なく押し出され、鼻腔洗浄ができ、且つ、眼に使用すれば洗眼が出来るものである。
【発明の効果】
【０００５】  洗浄用キャップの噴水口を球の横に設けたことにより、洗浄液入れ容器を上にし、洗浄用キャップを下にした状態で、球の噴水口を鼻孔に当てることが可能になった。これで、ポンプなどの装置を使わず、洗浄液容器に、直接、洗浄用キャップを取り替えて、柔らかい洗浄液入れ容器を握れば、噴水口から洗浄液が無駄なく押し出され、鼻腔洗浄ができ、且つ、眼に使用すれば洗眼が出来るようになったものである。
このことにより、洗浄液を鼻腔に流し込むために顔を傾ける必要も無く、やや、下向きで使用すれば、鼻腔から流れ出た洗浄後の洗浄液は、顎や首などを伝わる事なく、鼻腔から直接洗面台などに落ちるので、衣類を汚すこともない。
この洗眼、鼻腔洗浄器は、安値で、携行に便利であり、洗浄が必要な時に、キャップを取り替えるだけで、いつ、どこででも手軽に洗浄出来ることから、花粉症の人にとって便利である。
【図面の簡単な説明】
【０００６】
【図１】眼・鼻腔洗浄器部品図
【符合の説明】
【００７】１  洗浄液入れ容器
２  キャップ
３  洗浄用キャップ
４  球
５  噴水口
【図１】
2006230974.tif 000003